(57)【要約】【課題】操作用の突部がなく、安全かつ確実に操作できる回動変位可能なベッド用サイドガードが望まれていた。【解決手段】固定ガード枠１１と可動ガード枠１２とは連結構造１３で回動可能に連結されている。連結構造１３は、垂直軸１４を中心に、固定側連結筒体１６、可動側連結筒体１８、ジョイント筒体２５が、それぞれ垂直軸１４に外嵌されるように設けられている。さらに、ジョイント筒体２５を筒状のグリップ３０が覆っており、グリップ３０が不用意に軸方向へ移動するのを阻止するためのストッパ構造３１が設けられている。【効果】連結構造１３には操作用の突部がなく、必要なときにだけ安全に連結構造を操作して、可動ガード枠１２を回動させることができる。【選択図】図３
2015058063.tif 000002
【特許請求の範囲】
【請求項１】
ベッドの側方に取り付けられる固定ガード枠と、連結構造によって、前記固定ガード枠に対して回動変位可能に連結された可動ガード枠とを有するベッド用サイドガードであって、
前記連結構造は、
垂直軸と、
前記垂直軸に対して回動自在に外嵌された固定側連結筒体と、
前記垂直軸に対して回動自在に外嵌され、前記固定側連結筒体に対して軸方向に隣接された可動側連結筒体と、
前記固定側連結筒体および前記可動側連結筒体を軸方向に跨ぐように外嵌され、軸方向第１位置では、前記固定側連結筒体および前記可動側連結筒体が互いに回動しないように嵌合し、軸方向第２位置では、前記固定側連結筒体および前記可動側連結筒体が互いに回動し得る状態とするジョイント筒体と、
前記ジョイント筒体が前記第１位置から前記第２位置へスライドするのを防止するストッパと、
を含むことを特徴とする、ベッド用サイドガード。
【請求項２】
前記ジョイント筒体に外嵌された筒状部材であって、軸方向に上方へスライド移動させることによって、その内側の前記ジョイント筒体を前記第１位置から前記第２位置へとスライドさせるためのグリップをさらに含むことを特徴とする、請求項１記載のベッド用サイドガード。
【請求項３】
前記ストッパは、前記グリップを軸方向に上方へスライド移動させるのを防止するものであることを特徴とする、請求項２記載のベッド用サイドガード。
【請求項４】
前記固定側連結筒体は、
前記垂直軸に対して回動自在に外嵌された第１筒体と、
前記第１筒体の外周面から側方へ延び出ており、前記固定ガード枠の連結端に取り付けられる第１連結突部と、
軸方向に見て、前記第１連結突部が突出する位置と干渉しない位置に設けられ、前記第１筒体の外周面に所定の角度間隔で、軸方向に延びるように形成された複数の第１突条とを含み、
前記可動側連結筒体は、
前記垂直軸に対して回動自在に外嵌された第２筒体と、
前記第２筒体の外周面から側方へ延び出ており、前記可動ガード枠の連結端と連結される第２連結突部と、
軸方向に見て、前記第２連結突部が突出する位置と干渉しない位置に設けられ、前記第２筒体の外周面に所定の角度間隔で、軸方向に延びるように形成された複数の第２突条とを含み、
前記第１突条と前記第２突条とは軸方向に隣接されており、
前記ジョイント筒体は、前記軸方向に隣接する前記第１突条と前記第２突条とを軸方向に跨ぐように外嵌されていて、前記第１筒体および第２筒体が互いに回動しないように嵌合していることを特徴とする、請求項１記載のベッド用サイドガード。
【請求項５】
前記第２位置は、前記ジョイント筒体が前記第１突条または前記第２突条から外れる位置であることを特徴とする、請求項４記載のベッド用サイドガード。
【請求項６】
前記ジョイント筒体は、常時、前記第１位置に留まるように、前記垂直軸に外嵌されたコイルばねにより弾力付勢されていることを特徴とする、請求項１〜５のいずれか一項に記載のベッド用サイドガード。
【請求項７】
前記第１突条および前記第２突条は、それぞれ、等しい角度間隔で設けられており、その角度間隔単位で、前記可動ガード枠は固定ガード枠に対して回動して保持され得ることを特徴とする、請求項１〜６のいずれか一項に記載のベッド用サイドガード。
【発明の詳細な説明】
【技術分野】
【０００１】
この発明は、ベッドの側部に取り付けられるベッド用サイドガードに関する。特に、この発明は、介護用ベッドや医療用ベッド等の側部に取り付けられるベッド用サイドガードに関する。
【背景技術】
【０００２】
ベッドの側部に取り付けられ、寝具のずれを防止したり、使用者がベッドから落下するのを防止するベッド用サイドガードが公知である。
従来のベッド用サイドガードとしては、特許文献１や特許文献２に記載のように、サイドガード自体は動くことのない固定式のものがある。
また、特許文献３や特許文献４に開示されているように、サイドガードの一部が回動して、使用者がベッドから下りたり、ベッドに上がる際に利用し易くしたものもある。
【先行技術文献】
【特許文献】
【０００３】
【特許文献１】特開２００２−１１９３８０号公報
【特許文献２】特開２００５−１５２０５７号公報
【特許文献３】特開２０１２−７０７６７号公報
【特許文献４】特開平１０−２４３９７１号公報
【発明の概要】
【発明が解決しようとする課題】
【０００４】
従来のベッド用サイドガードにおいて、固定式ではなく、回動可能な構成のものは、使用者がベッドから下りたり、ベッドへ上がる際にサイドガードが邪魔にならず、好ましい構成であった。
ところが、従来の可動可能なベッド用サイドガードにおいては、サイドガードを回動させる際に、その回動操作部材が突出しているため、その操作部材に衣類等が引っ掛かったりして、誤ってサイドガードが回動されてしまう恐れがあるといった問題が指摘されていた。
【０００５】
また、たとえば介護用ベッド等に装着した場合、ベッドを使用する被介護人自身が誤って操作することがなく、介護人が必要に応じて操作できるような構成のベッド用サイドガードが望まれていた。
この発明は、このような背景のもとになされたもので、安全かつ確実に操作でき、しかも誤った操作が行われることのない、回動可能なベッド用サイドガードを提供することを主たる目的とする。
【課題を解決するための手段】
【０００６】
請求項１記載の発明は、ベッドの側方に取り付けられる固定ガード枠と、連結構造によって、前記固定ガード枠に対して回動変位可能に連結された可動ガード枠とを有するベッド用サイドガードであって、前記連結構造は、垂直軸と、前記垂直軸に対して回動自在に外嵌された固定側連結筒体と、前記垂直軸に対して回動自在に外嵌され、前記固定側連結筒体に対して軸方向に隣接された可動側連結筒体と、前記固定側連結筒体および前記可動側連結筒体を軸方向に跨ぐように外嵌され、軸方向第１位置では、前記固定側連結筒体および前記可動側連結筒体が互いに回動しないように嵌合し、軸方向第２位置では、前記固定側連結筒体および前記可動側連結筒体が互いに回動し得る状態とするジョイント筒体と、前記ジョイント筒体が前記第１位置から前記第２位置へスライドするのを防止するストッパと、を含むことを特徴とする、ベッド用サイドガードである。
【０００７】
請求項２記載の発明は、前記ジョイント筒体に外嵌された筒状部材であって、軸方向に上方へスライド移動させることによって、その内側の前記ジョイント筒体を前記第１位置から前記第２位置へとスライドさせるためのグリップをさらに含むことを特徴とする、請求項１記載のベッド用サイドガードである。
請求項３記載の発明は、前記ストッパは、前記グリップを軸方向に上方へスライド移動させるのを防止するものであることを特徴とする、請求項２記載のベッド用サイドガードである。
【０００８】
請求項４記載の発明は、前記固定側連結筒体は、前記垂直軸に対して回動自在に外嵌された第１筒体と、前記第１筒体の外周面から側方へ延び出ており、前記固定ガード枠の連結端に取り付けられる第１連結突部と、軸方向に見て、前記第１連結突部が突出する位置と干渉しない位置に設けられ、前記第１筒体の外周面に所定の角度間隔で、軸方向に延びるように形成された複数の第１突条とを含み、前記可動側連結筒体は、前記垂直軸に対して回動自在に外嵌された第２筒体と、前記第２筒体の外周面から側方へ延び出ており、前記可動ガード枠の連結端と連結される第２連結突部と、軸方向に見て、前記第２連結突部が突出する位置と干渉しない位置に設けられ、前記第２筒体の外周面に所定の角度間隔で、軸方向に延びるように形成された複数の第２突条とを含み、前記第１突条と前記第２突条とは軸方向に隣接されており、前記ジョイント筒体は、前記軸方向に隣接する前記第１突条と前記第２突条とを軸方向に跨ぐように外嵌されていて、前記第１筒体および第２筒体が互いに回動しないように嵌合していることを特徴とする、請求項１記載のベッド用サイドガードである。
【０００９】
請求項５記載の発明は、前記第２位置は、前記ジョイント筒体が前記第１突条または前記第２突条から外れる位置であることを特徴とする、請求項４記載のベッド用サイドガードである。
請求項６記載の発明は、前記ジョイント筒体は、常時、前記第１位置に留まるように、前記垂直軸に外嵌されたコイルばねにより弾力付勢されていることを特徴とする、請求項１〜５のいずれか一項に記載のベッド用サイドガードである。
【００１０】
請求項７記載の発明は、前記第１突条および前記第２突条は、それぞれ、等しい角度間隔で設けられており、その角度間隔単位で、前記可動ガード枠は固定ガード枠に対して回動して保持され得ることを特徴とする、請求項１〜６のいずれか一項に記載のベッド用サイドガードである。
【発明の効果】
【００１１】
この発明によれば、固定ガード枠と可動ガード枠とは、連結構造により連結されているので、固定ガード枠に対して可動ガード枠を必要に応じて回動変位させることができる。
そして、連結構造は、垂直軸を中心に、その外周面に外嵌された筒状部材からなる構成であり、外方や側方へ突出する操作用の突出部が存在しない。このため、使用者の衣類等が引っ掛かったりして、誤動作により可動ガード枠が回動変位する恐れはない。
【００１２】
また、可動ガード枠を回動させる際に操作するジョイント筒体の軸方向移動を禁止するストッパが備えられているので、誤操作によって可動ガード枠が回動変位するのを防止することができる。
さらに、この発明によれば、固定ガード枠に対して可動ガード枠を複数の角度位置へ回動変位させることができ、使い勝手がよく、かつ、安全なベッド用サイドガードとすることができる。
【図面の簡単な説明】
【００１３】
【図１】図１は、この発明の一実施形態に係るベッド用サイドガードの斜視図である。
【図２】図２は、この発明の一実施形態に係るベッド用サイドガード１０の正面図である。
【図３】図３は、図２のＡ−Ａに沿う縦断面図である。
【図４】図４は、連結構造１３の分解斜視図である。
【図５】図５は、可動側連結筒体１８とジョイント筒体２５との連結構造を説明するための図である。
【図６】図６は、可動側連結筒体１８とジョイント筒体２５との連結構造を説明するための分解斜視図である。
【図７】図７は、可動側連結筒体１８とジョイント筒体２５とにより達成される可動ガード枠１２の回動変位の様子を説明するための図である。
【図８】図８は、この実施形態の連結構造１３により回動可能な可動ガード枠１２の回動範囲を説明するための図である。
【図９】図９は、ストッパ構造３１の具体的な構成を説明するための図である。
【発明を実施するための形態】
【００１４】
以下には、図面を参照して、この発明の実施形態について具体的に説明をする。
図１は、この発明の一実施形態に係るベッド用サイドガード１０の斜視図である。ベッド用サイドガード１０は、ベッドの側方に取り付けられる固定ガード枠１１と、固定ガード枠１１に対して回動変位可能に連結された可動ガード枠１２とを有している。固定ガード枠１１および可動ガード枠１２は、連結構造１３によって連結されている。
【００１５】
図２は、ベッド用サイドガード１０の正面図であり、図３は、図２のＡ−Ａに沿う縦断面図である。さらに、図４は、ベッド用サイドガード１０の連結構造１３の分解斜視図である。
図２〜図４を参照して、連結構造１３についてより具体的に説明をする。
連結構造１３は、連結の芯となる垂直軸１４を有する。垂直軸１４には固定ガード枠１１が取り付けられる固定側連結部材１５および固定側連結筒体１６が回動自在に外嵌されている。また、垂直軸１４には可動ガード枠１２が取り付けられる可動側連結部材１７および可動側連結筒体１８が回動自在に外嵌されている。
【００１６】
より具体的には、垂直軸１４の上下方向中央部付近において、固定側連結筒体１６および可動側連結筒体１８が上下方向に隣接して対向するように外嵌されている。さらに、垂直軸１４の上端付近において、固定側連結筒体１６の上部に可動側連結部材１７が隣接して外嵌され、垂直軸１４の下端付近において、可動側連結筒体１８の下方に隣接して、固定側連結部材１５が外嵌されている。
【００１７】
そして、固定側連結筒体１６の上端付近の外周面から突出する接続突起（第１連結突部）１９および固定側連結部材１５の外周面から突出する連結突起２０に、固定ガード枠１１の上下の連結端１１Ｕ、１１Ｄがそれぞれ取り付けられている。
また、可動側連結部材１７の外周面から突出する接続突起２１および可動側連結筒体１８の下端付近の外周面から突出する連結突起（第２連結突部）２２には、可動ガード枠１２の上下の連結端１２Ｕ、１２Ｄがそれぞれ取り付けられている。
【００１８】
固定側連結筒体１６の下方外周面には、所定の角度間隔（たとえば４５°間隔）で、軸方向に延びるように形成された複数の第１突条２３が設けられている。
また、可動側連結筒体１８の上方外周面には、所定の角度間隔（たとえば４５°間隔）で、軸方向に延びるように形成された複数の第２突条２４が設けられている。
第１突条２３と第２突条２４とは、垂直軸１４の軸方向に上下に隣接している。
【００１９】
この実施例の接続構造１３には、さらに、固定側連結筒体１６および可動側連結筒体１８を垂直軸１４の軸方向に跨ぐように外嵌されたジョイント筒体２５が備えられている。ジョイント筒体２５は、軸方向に上下に隣接する固定側連結筒体１６および可動側連結筒体１８の第１突条２３および第２突条２４を軸方向に跨ぐように外嵌されている。そして、ジョイント筒体２５の内周面には、第１突条２３および第２突条２４が係合する、軸方向に延びる複数の凹溝２６（図６を参照）が所定の角度間隔（たとえば４５°間隔）で形成されている。
【００２０】
このため、ジョイント筒体２５が軸方向に下方へ移動した下方定位置（第１位置）では、図３に示すように、ジョイント筒体２５（の凹溝２６）により、固定側連結筒体１６の第１突条２３および可動側連結筒体１８の第２突条２４が周方向に回動しないように係止される。よって、ジョイント筒体２５が軸方向第１位置では、固定側連結筒体１６および可動側連結筒体１８は、垂直軸１４を中心に互いに回動することができない状態となる。
【００２１】
この実施形態の連結構造１３には、さらに、コイルばね２７が備えられている。コイルばね２７は、固定側連結筒体１６に外嵌されていて、その上端は固定側連結筒体１６の外周面段差部（ステップ）２８に係止され、その下端はジョイント筒体２５の上端面２５Ｕに係止されている。よって、コイルばね２７は、その弾性力（伸長力）により、常時、ジョイント筒体２５を軸方向下方に向けて弾力付勢している。
【００２２】
この実施形態の連結構造１３には、さらに、ジョイント筒体２５およびコイルばね２７の外側を覆うようにグリップ３０が外嵌されている。グリップ３０は、円筒状をなし、その外周面は、握って操作し易いように、凹凸を有する形状とされている。しかし、グリップ３０には、外方へ突出する引っ掛かり易い突部等は存在しない。グリップ３０は、ベッド用サイドガード１０において、固定ガード枠１１に対して可動ガード枠１２を回動変位させる際に、使用者が手で把持して操作するものである。
【００２３】
この実施形態の連結構造１３には、さらに、グリップ３０の操作を出来ないようにするためのストッパ構造３１が備えられている。
なお、図４に示す分解斜視図では、図示の都合上、ストッパ構造３１に関しては図示が省略されている。
図５は、連結構造１３における固定側連結筒体１６、可動側連結筒体１８およびジョイント筒体２５の関係を説明するための図である。
【００２４】
図５（Ａ）は、ジョイント筒体２５が第１位置（下方定位置、ホームポジション）のときの係合状態を示している。この状態では、ジョイント筒体２５内で、第１突条２３および第２突条２４（図に現れていない）がジョイント筒体２５によって回動しないように係止されている。
一方、図５（Ｂ）に示すように、ジョイント筒体２５を軸方向上方へスライド移動させて第２位置にすると、ジョイント筒体２５は、可動側連結筒体１５の上方外周面に形成された第２突条２４から外れる。この状態では、固定側連結筒体１６と可動側連結筒体１８とは、互いに回動可能な状態となる。
【００２５】
図６は、この実施形態の連結構造１３をさらに具体的に説明するために描いた可動側連結筒体１８およびジョイント筒体２５の分解斜視図である。  さらに、図７は、ジョイント筒体２５を第２位置へスライド移動させ、可動側連結筒体１８を回動させた後、ジョイント筒体２５を第１位置へスライド移動させた状態におけるジョイント筒体２５の凹溝２６と可動側連結筒体の第２突条２４との位置関係を表わす図である。
【００２６】
ジョイント筒体２５を軸方向上方へスライド移動させて第２位置にすると、ジョイント筒体２５（の凹溝２６）から可動側連結筒体１８の第２突条２４が外れ、可動側連結筒体１８は固定側連結筒体１６に対して垂直軸１４を中心に回動可能となる。この状態で、可動側連結筒体１８に接続された可動ガード枠１２を回動させれば、可動ガード枠１２は、固定ガード枠１１に対して、回動させることができ、４５°の角度単位で回動停止させて固定することができる。
【００２７】
すなわち、図７（Ａ）（Ｂ）（Ｃ）のように、固定ガード枠１１に対して、可動ガード枠１２を、４５°の角度単位で可動させることができ、回動位置で固定ガード枠１１および可動ガード枠１２を固定することができる。
図８は、この実施形態の連結構造１３により回動可能な可動ガード枠１２の回動範囲を説明する図である。可動ガード枠１２は、固定ガード枠１１に対して、４５°の角度単位で、直線状態から外側に向けて３段階に回動させることができる。また、直線状態から内側に向けて３段階に回動させることができる。従って、この実施形態に係るベッド用サイドガード１０は、ベッドの左右いずれの側にも取り付け可能な構成となっている。
【００２８】
なお、この実施形態では、第１突条２３、第２突条２４、凹溝２６を、それぞれ、４５°の角度間隔で形成したので、回動の角度単位は４５°である。しかし、第１突条２３、第２突条２４、凹溝２６を、それぞれ、たとえば３０°の角度間隔で形成すれば、回動の角度単位は３０°となり、より細かく回動角度を調整できる。
この実施形態では、固定ガード枠１１に対して可動ガード枠１２を所定の角度位置に回動させた状態で、ジョイント筒体２５は可動側連結筒体１８の第２突条２４と再び係合する。よって、ジョイント筒体２５の凹溝２６によって、第１突条２３と第２突条２４との角度位置がその位置に固定される。言い換えれば、固定ガード枠１１に対して可動ガード枠１２を所定の角度に回動変位させた状態で、その角度位置で可動ガード枠１２はしっかりと固定され、グラグラ、ガタガタと動くことはない。
【００２９】
従って、回動した可動ガード枠１２を使用者が把持して、ベッドから立ち上がったり、ベッドへ入る際に、可動ガード枠１２を安定した支えとして利用することができる。
図９は、ストッパ構造３１を説明するための図である。
ストッパ構造３１は、グリップ３０が不用意に軸方向上方へスライド移動し、ジョイント筒体２５が第１位置から第２位置へスライド変位して、可動ガード枠１２が回動可能な状態となるのを阻止するための構造である。いわば、ストッパ構造３１は、グリップ３０のためのロック装置である。
【００３０】
ストッパ構造３１は、グリップ３０の上端面３０Ｕ上の固定側連結筒体１６の外周面に嵌められたブッシュ３２と、固定側連結筒体１６の外周面に突設され、軸方向へ延びる突条３３とを有している。ブッシュ３２は円環状の部材で、固定側連結筒体１６の外周面に沿って回動および軸方向への摺動移動が可能である。ブッシュ３２の周方向には、１箇所切欠通路３４が形成されている。切欠通路３４が、固定側連結筒体１６の周方向において、突条３３の角度位置とずれた角度位置にあるときには、グリップ３０に対して軸方向上側へのスライド移動力が加えられたとしても、グリップ上端面３０Ｕと突条３３の下端部との間にブッシュ３２が存在するため、グリップ３０は軸方向上方へスライド移動することができないロック状態が保たれる（図９（Ａ））。
【００３１】
一方、図９（Ｂ）に示すように、ブッシュ３２を回動させて、その切欠通路３４を突条３３の位置に合わせた状態では、グリップ３０を軸方向上方へスライドさせることができる。すなわち、グリップ３０を軸方向上方へスライド移動させると、ブッシュ３２はグリップ３０の上端面３０Ｕによって上方へ持ち上げられ、その切欠通路３４は突条３３と係合して、ブッシュ３２は上方へスライドする。このため、グリップ３０を軸方向上方へ持ち上げることができる（図９（Ｃ））。
【００３２】
ストッパ構造３１を構成する突条３３は、固定側連結筒体１６と一体成形されているのが好ましい。たとえば、固定側連結筒体１６を金属のダイキャスト部品で構成する場合に、突条３３を一体成形しておくのが好ましい。
ブッシュ３２は、たとえば樹脂で形成することができる。ブッシュ３２の周方向可動範囲は、たとえば０°〜６０°というように、一定の角度範囲内での回動ができる構成とするのが好ましい。もっとも、ブッシュ３２は、３６０°自由に回動し得るものでもよい。
【００３３】
この実施形態では、ストッパ構造３１を、ブッシュ３２および突条３３を有する構成とした。しかし、グリップ３０が不用意に軸方向上方へスライド移動しないためのストッパ構造としては、ブッシュ３２を省略して、グリップ３０自体と、固定側連結筒体１６の外周面に形成した突条３３とによって構成することも可能である。
すなわち、グリップ３０の上端面３０Ｕの固定側連結筒体１６の外周面と接する部分に、突条３３と係合する凹欠部を形成しておく。そして突条３３の下端部は、グリップ３０が定位置（軸方向下方位置）にあるときに、グリップ３０の上端面３０Ｕとほぼ接する位置まで延ばしておく。
【００３４】
そうすれば、グリップ３０を軸方向上方へ持ち上げたいときには、グリップ３０を回動させて、グリップ３０の上端面３０Ｕに形成された凹欠部を突条３３の位置に合わせる。
このように、グリップ３０自体を回動可能な構成とすることにより、グリップ３０自体によって、ロック状態と非ロック状態とに切換え可能な構成とすることもできる。
また、この発明は、固定ガード枠１１に対して可動ガード枠１２を回動変位可能に連結する連結構造１３において、その中心となる垂直軸１４から外周面方向へ大きく突出する突部を有さない。このため、連結構造１３は、このベッド用サイドガード１０を使用する使用者等の衣服などが引っ掛かったりする恐れがない。また、突部がないので、使用者の身体の一部がぶつかって痛みを覚える等の心配もない。
【００３５】
この発明は、以上説明した実施形態に限定されるものではなく、請求項記載の範囲内において種々の変更が可能である。
たとえば、上述の実施形態では、固定側連結筒体１６に複数の第１突条２３を設け、可動側連結筒体１８に複数の第２突条２４を設け、それらをジョイント筒体２３の内周面に形成した凹溝２６によって固定する構造とした。
【００３６】
この構造に代えて、たとえば第１突条２３を固定側連結筒体１６の外周面に設けられた外歯ギヤとし、第２突条２４を可動側連結筒体１８の外周面に設けられた外歯ギヤとして、これら２つの外歯ギヤを跨ぐように、ジョイント筒体２５の内周面に形成された内歯ギヤが噛合する構成としてもよい。このような構成にすれば、ジョイント筒体２５を軸方向上方へスライド移動させて、固定側連結筒体１６に対して可動側連結筒体１８を任意の角度回動させ、その状態でジョイント筒体２５により両者を連結固定することができる。そうすることにより、固定ガード枠１１に対し、可動ガード枠１２を、上記実施例のように所定角度単位（たとえば４５°単位や３０°単位）で回動させる構成ではなく、任意の角度回動させて、その角度位置で固定できるようにすることも可能である。
【符号の説明】
【００３７】
１０    ベッド用サイドガード
１１    固定ガード枠
１２    可動ガード枠
１３    連結構造
１４    垂直軸
１５    固定側連結部材
１６    固定側連結筒体
１７    可動側連結部材
１８    可動側連結筒体
１９、２０、２１、２２    接続突起
２３    第１突条
２４    第２突条
２５    ジョイント筒体
２６    凹溝
２７    コイルばね
３０    グリップ
３１    ストッパ構造
３２    ブッシュ
３３    突条
３４    切欠通路
【図１】
2015058063.tif 000003
【図２】
2015058063.tif 000004
【図３】
2015058063.tif 000005
【図４】
2015058063.tif 000006
【図５】
2015058063.tif 000007
【図６】
2015058063.tif 000008
【図８】
2015058063.tif 000009
【図９】
2015058063.tif 000010
【図７】
2015058063.tif 000011